(57)【要約】【課題】  シーリングプレートやカバープレート等のスプリンクラーヘッドと天井板の穴の間を覆い隠すスプリンクラーヘッド付属品において、該スプリンクラーヘッド付属品が天井面に対してフラットに設置可能な構成を備える。【解決手段】  スプリンクラーヘッド付属品１がスプリンクラーヘッドＳＨに着脱可能に設置され、スプリンクラーヘッド付属品１の天井板Ｃと当接するプレート部３またはその付近に変形自在な可撓部３Ｃを設けた。【選択図】    図１
2011234911.tif 000002
【特許請求の範囲】
【請求項１】
天井内に埋め込んで設置されたスプリンクラーヘッドと該スプリンクラーヘッドが挿通された天井板の穴との間の隙間を覆い隠すスプリンクラーヘッド付属品であり、該スプリンクラーヘッド付属品はスプリンクラーヘッドに着脱可能に設置され、スプリンクラーヘッド付属品の天井板と当接するプレート部付近に変形自在な可撓部を設けたことを特徴とするスプリンクラーヘッド付属品。
【発明の詳細な説明】
【技術分野】
【０００１】
本発明は、消火用のスプリンクラーヘッドに装着される付属品に関するものである。
【背景技術】
【０００２】
従来のスプリンクラーヘッドの一つとして、天井内に埋め込まれて設置されるフラッシュ型のスプリンクラーヘッドがある（例えば、特許文献１参照。）。フラッシュ型スプリンクラーヘッドは、前述の通り天井内に埋め込まれて設置されており、天井板にはスプリンクラーヘッドを室内側へ貫通させるための穴が穿設されている。該穴は穴より大径なプレート部を有するシーリングプレートにより覆い隠される。シーリングプレートはスプリンクラーヘッドに着脱可能に設置される。
【０００３】
また、上記のフラッシュ型スプリンクラーヘッドの他に、コンシールド型のスプリンクラーヘッドがあり（例えば、特許文献２参照）、スプリンクラーヘッド本体が天井内に埋め込まれて設置され、スプリンクラーヘッド本体が設置された箇所に穿設した天井板の穴を、該穴より大径である円盤形状のカバープレートによって覆い隠している。カバープレートはスプリンクラーヘッド本体に着脱可能に設置される。
【先行技術文献】
【特許文献】
【０００４】
【特許文献１】特開平９−９４３０７号公報
【特許文献２】特開２００３−３３９９０１号公報
【発明の概要】
【発明が解決しようとする課題】
【０００５】
上記のシーリングプレートやカバープレートは、スプリンクラーヘッドに着脱可能に設置されるが、スプリンクラーヘッドが接続する給水配管の立下り部分が天井板に対して垂直に設置されていない場合、シーリングプレートのプレート部と天井板が平行に設置されないため、プレート部が天井板から傾いて設置される場合がある。
【０００６】
プレート部が天井板から傾いて設置されると、プレート部と天井板の間に隙間が生じてしまい外観上好ましいものではない。しかしながら給水配管の立下り部分と天井板が垂直になるように配管の施工精度を上げると作業効率が低下してしまう。
【０００７】
そこで本発明では、上記問題に鑑み、シーリングプレートやカバープレート等のスプリンクラーヘッドと天井板の穴の間を覆い隠すスプリンクラーヘッド付属品において、該スプリンクラーヘッド付属品が天井面に対してフラットに設置可能な構成を備えることを目的としている。
【課題を解決するための手段】
【０００８】
上記の目的を達成するために、発明のスプリンクラーヘッド付属品は、天井内に埋め込んで設置されたスプリンクラーヘッドと該スプリンクラーヘッドが挿通された天井板の穴との間の隙間を覆い隠すスプリンクラーヘッド付属品であり、該スプリンクラーヘッド付属品はスプリンクラーヘッドに着脱可能に設置され、スプリンクラーヘッド付属品の天井板と当接するプレート部またはその付近に変形自在な可撓部を設けたものである。
【０００９】
本発明によれば、上記可撓部を設けたことでプレート部が天井板とフラットに接触可能である。可撓部の具体的な構成としては、プレート部の周縁に可撓部を形成してプレート部と天井板との傾きを吸収可能となることや、プレート部の中心付近に蛇腹構造を設けて該蛇腹部分にてプレート部と天井板との傾きを吸収することができる。
【発明の効果】
【００１０】
上記に説明したように本発明によればプレート部と天井板がフラットに接触可能であり、スプリンクラーヘッドと接続される給水配管と天井板の位置関係を厳密に調整する必要がなく作業者の負担が軽減可能なものである。
【図面の簡単な説明】
【００１１】
【図１】第１実施形態のスプリンクラーヘッド付属品の断面図
【図２】図１の変形例
【図３】第２実施形態のスプリンクラーヘッド付属品の断面図
【図４】図３の変形例１
【図５】図３の変形例２
【発明を実施するための最良の形態】
【００１２】
第１実施形態（図１〜図２）
第１実施形態はフラッシュ型スプリンクラーヘッドに設置されるシーリングプレートである。シーリングプレート１は、スプリンクラーヘッド本体ＳＨの外周面と接続される筒部２と、スプリンクラーヘッド本体ＳＨと天井板Ｃの穴Ｈの間の隙間を覆い隠すプレート部３から構成される。
【００１３】
シーリングプレート１は樹脂等の弾性を有する材料から形成され、色は天井板Ｃと同じ色にすると天井板Ｃと同調してシーリングプレート１が目立たなくなり意匠性が向上する。
【００１４】
筒部２はスプリンクラーヘッド本体ＳＨの外周面に形成された係合溝４と係合可能な突起５が形成されている。突起５は筒部２の内周面に層状に形成され、突起５とスプリンクラーヘッド本体ＳＨ側の係合溝４との係合位置によってスプリンクラーヘッド本体ＳＨとシーリングプレート１との位置調整が可能である。シーリングプレート１は給水配管ＰにスプリンクラーヘッドＳＨを接続して天井板Ｃを設置した後に、穴ＨからスプリンクラーヘッドＳＨに筒部２を挿通して、プレート３が天井板Ｃと当接する位置で係合溝４と突起５を係合させて設置する。
【００１５】
プレート部３は筒部２の下端に皿状に形成されており、プレート部３の外周径は前述の天井板Ｃに穿設された穴Ｈの径よりも大径である。プレート部３は内周３Ａから外周３Ｂ側に向かって勾配が付されており、外周３Ｂ側の高さは内周３Ａ側の高さよりも低く形成されている。
【００１６】
プレート部３の外周３Ｂ側の縁部である可撓部３Ｃは薄肉に形成されており、容易に変形可能である。可撓部３Ｃを変形可能に構成したことで、スプリンクラーヘッドＳＨが天井面に対して垂直よりも傾いて設置されていても可撓部３Ｃが変形して天井板Ｃと当接することができる。
【００１７】
上記では図１に示される実施形態について説明したが、図２に示す実施形態ではシーリングプレート１の内周３Ａ側に伸縮変形可能な可撓部３Ｄを設けた。可撓部３Ｄは蛇腹構造をしており、可撓部３Ｄが伸縮することでスプリンクラーヘッドＳＨが天井面に対して垂直よりも傾いて設置された場合にもプレート部３の外周３Ｂの縁が天井板Ｃと当接させて設置することができる。
【００１８】
第２実施形態（図３〜図５）
第２実施形態はコンシールド型のスプリンクラーヘッドＣＳに設置されるカバープレート１１である。カバープレート１１は、リテーナー１２とカバー１３から構成する。
【００１９】
図３において、スプリンクラーヘッドＣＳは給水配管Ｐと接続されている。リテーナー１２は第１実施形態で説明したシーリングプレートと同様の作用を有するものであり、円筒部１４にはスプリンクラーヘッドＣＳの外周部に設けられたサポートカップ１５の螺旋溝１５Ａと螺合可能な突起１４Ａが形成されている。リテーナー１４は給水配管ＰにスプリンクラーヘッドＣＳが接続され、さらに天井板Ｃが設置された後に穴ＨからスプリンクラーヘッドＣＳ側に円筒部１４を挿通して突起１４Ａを螺旋溝１５Ａに螺合させて設置する。
【００２０】
円筒部１４の下端には鍔部１４Ｂが形成されている。鍔部１４Ｂは前述のプレート部３と同様な役割をしており、天井板Ｃに穿設された穴Ｈを覆い隠す作用を有する。また鍔部１４Ｂから脚部１４Ｃが垂下して複数形成されている。脚部１４Ｃの先端は鍔部１４Ｂと略平行に折り曲げられており、該先端部１４Ｄはカバー１３と低融点合金１６によって接合される。
【００２１】
脚部１４Ｃには容易に屈曲可能な可撓部１４Ｅが設けられている。可撓部１４Ｅは容易に屈曲可能とするために薄肉に形成したり、可撓部１４Ｅの幅を脚部１４Ｃの幅よりも狭くすることで構成可能である。これにより
【００２２】
可撓部１４Ｅが屈曲して変形することでスプリンクラーヘッドＣＳが天井面Ｃに対して垂直よりも傾いて設置された場合にも鍔部１４Ｂの外周縁が天井板Ｃと当接して設置することができる。
【００２３】
プレート１３は円盤状をしており、前述のとおり低融点合金１６によってリテーナー１４の先端部１４Ｄに接合している。プレート１３はリテーナー１４内に設置されたスプリンクラーヘッドＣＳを覆い隠す作用を有しており、スプリンクラーヘッドＣＳがプレート１３によって隠され、さらに天井板Ｃとプレート１３との段差がほとんど無いことから意匠性に優れている。火災時にはプレート１３を接合していた低融点合金１６が溶融してプレート１３が落下して、リテーナー１４内部のスプリンクラーヘッドＣＳが露出する。スプリンクラーヘッドＣＳは火災の熱により作動して給水配管Ｐから供給される水を散布し消火を行う。
【００２４】
図４に示す実施例は、図３の実施形態の変形例である。図３においては可撓部を脚部１４Ｃに設けていたが、図４においては可撓部１７を鍔部１４Ｂと円筒部１４の境に設置している。
【００２５】
可撓部１７の表面にはＶ字断面の切り込み１７Ａが層状に刻設されており、容易に変形可能な構成となっている。スプリンクラーヘッドＣＳが天井面Ｃに対して垂直よりも傾いて設置された場合にも切り込み１７Ａが変形可能であるので鍔部１４Ｂの外周縁が天井板Ｃと当接して設置することができる。
【００２６】
図５に示す実施例も図３の実施形態の変形例である。図５においては可撓部１８を円筒部１４の下方に設置した金網１８Ａにより構成している。金網１８Ａは伸縮自在であり、スプリンクラーヘッドＣＳが天井面Ｃに対して垂直よりも傾いて設置された場合にも鍔部１４Ｂの外周縁が天井板Ｃと当接して設置することができる。
【符号の説明】
【００２７】
１  シーリングプレート  
２  筒部  
３  プレート部  
３Ｃ、３Ｄ  可撓部
４  係合溝  
５  突起  
１１  カバープレート  
１２  リテーナー  
１３  カバー  
１４  円筒部  
１４Ａ  突起  
１４Ｂ  鍔部  
１４Ｃ  脚部  
１４Ｄ  先端部  
１４Ｅ、１７、１８  可撓部  
１５  サポートカップ  
１５Ａ  螺旋溝  
１６  低融点合金  
Ｐ  給水配管  
ＳＨ、ＣＳ  スプリンクラーヘッド  
【図１】
2011234911.tif 000003
【図２】
2011234911.tif 000004
【図３】
2011234911.tif 000005
【図４】
2011234911.tif 000006
【図５】
2011234911.tif 000007